(57)【要約】      （修正有）【課題】衣類を吊るすときに当該衣類の局所に負担が集中することを抑え、また、衣類のウエストサイズ等によらず、またさらにベルト通しの有無によらずに内側部分の風通しを良好にする衣類ハンガーを提供する。【解決手段】フック部１と、フック部１の下端部に上端部が連結されている複数の連結片３と衣類を吊るすときの水平方向に略楕円形状あるいは略円形状をしており、複数の連結片３の各下端部と連結する円環状支持部２とを備える。複数の連結片３は、フック部１の下方で円環状支持部２を水平に支持する。円環状支持部２は、衣類の内側に挿入され、衣類のウエスト部分を拡げて掛け止め支持する。【選択図】図１
0003189144.tif 000002
【実用新案登録請求の範囲】
【請求項１】
ウエスト部分を上側に有する衣類を吊るす衣類ハンガーであって、
フック部と、
前記フック部の下端部に上端部が連結されている複数の連結片と、
前記衣類を吊るすときの水平方向に略楕円形状あるいは略円形状をしており、前記複数の連結片の各下端部と連結する円環状支持部と、
を備え、
前記複数の連結片は、前記フック部の下方で前記円環状支持部を水平に支持し、
前記円環状支持部は、前記衣類の内側に挿入され、該衣類のウエスト部分を拡げて掛け止め支持する、
ことを特徴とする衣類ハンガー。
【請求項２】
前記円環状支持部は、
各々略半楕円状あるいは略半円状に形成された第１支持部と第２支持部とからなり、
前記第１支持部は中空端部を有し、前記第２支持部は端部を前記第１支持部の中空端部に挿入しており、
前記第１支持部の中空端部に挿入された前記第２支持部の端部が摺動されて前記円環支持部の径を前記衣類のウエスト部分に適応する大きさに調整される、
ことを特徴とする請求項１に記載の衣類ハンガー。
【考案の詳細な説明】
【技術分野】
【０００１】
本考案は、衣類のうち、パンツ、スカートなどのボトムウェアを吊るすとき、ウエスト部分にしわ等が生じることを抑える衣類ハンガーに関する。
【背景技術】
【０００２】
ビジネススーツのパンツ、スカートやジーパンなどを吊るすとき、このような衣類内側部分の風通しを良好にするため、ベルト通し部に通す差し込み棒を半田円形に形成し、この差し込み棒にハンガーフックを設けたパンツハンガーがある（例えば、特許文献１参照）。
このパンツハンガーは、差し込み棒の開放端部を衣類のベルト通し部等に順に差し込んで行き、ハンガーフックを洗濯竿等に掛けたとき、衣類が差し込み棒から抜け落ちないように差し込み棒の開放端部を上方に曲折させてすべり止めストッパーを設けている。
【０００３】
また、裏返した状態のズボンのベルト通しに、アーム部の先端に設けたフック部を挿入するハンガーがある（例えば、特許文献２参照）。
このハンガーは、中央部で一体に結合する五本のアームが、外側に向かって等間隔で放射状に延びている。ズボンを吊るすときには、各所のベルト通しにそれぞれフック部を挿入し、当該ズボンの腰回り部分を各アームの先端部に沿って筒状に固定する。
【先行技術文献】
【特許文献】
【０００４】
【特許文献１】特開２００８−２２９３０６号公報
【特許文献２】特開２００７−１３５７１３号公報
【考案の概要】
【考案が解決しようとする課題】
【０００５】
従来の衣類ハンガーは以上のように構成されているので、ハンガー等に固定するベルト通し部の縫い目部分が脆弱になり、吊り下げ時間が長くなるほど傷みが進行して切れてしまう場合があるという問題点があった。
また、ハンガーに衣類を掛ける際には、複数のベルト通し部にそれぞれ差し込み棒やフック部等を通す必要があり、ハンガーから衣類を取り外す際には、一つ一つのベルト通し部から差し込み棒やフック部等を取り外すこととなるため、ハンガーの着脱作業が煩雑になるという問題点があった。
また、ベルト通し部のないデザインのパンツやスカートには使用できないという問題点があった。
【０００６】
本考案は、上記のような課題を解決するためになされたもので、衣類を吊るすときに当該衣類の局所に負担が集中することを抑え、また、衣類のウエストサイズ等によらず、またさらにベルト通し部の有無によらずに内側部分の風通しを良好にする衣類ハンガーを提供することを目的とする。
【課題を解決するための手段】
【０００７】
この考案に係る衣類ハンガーは、ウエスト部分を上側に有する衣類を吊るす衣類ハンガーであって、フック部と、前記フック部の下端部に上端部が連結されている複数の連結片と、前記衣類を吊るすときの水平方向に略楕円形状あるいは略円形状をしており、前記複数の連結片の各下端部と連結する円環状支持部とを備え、前記複数の連結片は、前記フック部の下方で前記円環状支持部を水平に支持し、前記円環状支持部は、前記衣類の内側に挿入され、該衣類のウエスト部分を拡げて掛け止め支持することを特徴とする。
【０００８】
また、前記円環状支持部は、各々略半楕円状あるいは略半円状に形成された第１支持部と第２支持部とからなり、前記第１支持部は中空端部を有し、前記第２支持部は端部を前記第１支持部の中空端部に挿入しており、前記第１支持部の中空端部に挿入された前記第２支持部の端部が摺動されて前記円環支持部の径を前記衣類のウエスト部分に適応する大きさに調整されることを特徴とする。
【考案の効果】
【０００９】
この考案によれば、ベルト通しなどの局部を傷めることなく、またベルト通しの有無によらずに掛け吊るすことができる。また、衣類を乾燥させるときには、しわ等の発生を抑制することができる。
【図面の簡単な説明】
【００１０】
【図１】この実施例の衣類ハンガーの概観を示す斜視図である。
【図２】図１の円環状支持部の概略構成を示す平面図である。
【考案を実施するための形態】
【００１１】
以下、この考案の実施の一形態を図に基づいて説明する。
【実施例】
【００１２】
図１は、この実施例の衣類ハンガーの概観を示す斜視図である。図示した衣類ハンガーは、洗濯竿等へ掛けるフック部１、パンツ（ズボン）、スカートなどのウエスト部分を支持する円環状支持部２、円環状支持部２をフック部１に連結する連結片３によって構成されている。
フック部１は、硬質樹脂あるいは金属等によってフック状に形成されており、フック状の下端部には、複数の連結片３の上端部を回動または搖動自在に連結する連結部１ａを有している。
連結片３は、例えば軽金属や樹脂からなる鎖状あるいは棒状部材、またはナイロンやポリエステルなどの合成繊維ロープ等からなり、下端部を円環状支持部２の所定位置に連結させている。
【００１３】
この衣類ハンガーは、フック部１を洗濯竿等に掛けたとき円環状支持部２が水平になって静止するように、複数の連結片３を配置してフック部１と円環状支持部２を連結している。換言すると、各連結片３の下端部を適当な間隔で離間して円環状支持部２に連結している。また、複数の連結片３は、後述するように円環状支持部２の径を調整したとき、どのような径においても円環状支持部２を水平に支持するように配置・連結されている。
【００１４】
図２は、図１の円環状支持部の概略構成を示す平面図である。図示した円環状支持部２は、外周部分が前述のパンツ、スカートなどのウエスト部分に沿う（好ましくは、ウエスト部分の立体形状にフィットする）略楕円形あるいは略円形状に形成されている。
換言すると、概ね人体のウエスト断面を模した曲率、形状ならびに外径を有している。
円環状支持部２は、図２に示したように第１支持部４と第２支持部５からなり、円環状の径を調整できるように構成されている。
第１支持部４は、略半楕円状あるいは略半円状に形成されており、例えば金属あるいは硬質樹脂を用いて形成されている。第２支持部５は、第１支持部４と概ね同様な形状に形成されており、また、例えば可撓性を有する樹脂や金属などを用いて形成されている。
【００１５】
第１支持部４は、上記のように半楕円状あるいは略半円状に形成したもので、少なくとも端部４ａ（所定長さの部分）を中空の例えば円管状に形成されている。この中空の管内径は、第２支持部５の端部を挿入できる大きさを有している。詳しくは、端部４ａは、第２支持部５の挿入部分を摺動することができる中空の自由端であり、第２支持部５が挿入される部分は、例えば直線状に形成されている。また、第１支持部４は、第２支持部５の端部表面と端部４ａの管内面が適当に密着して、例えば円環状支持部２を一定の径に維持することができる程度の摩擦抵抗等が生じるように形成されている。
第２支持部５は、第１支持部４と概ね同様な曲率を有するように形成されており、第１支持部４に挿入される部分は、例えば直線状に延設され、滑らかな表面を有している。
なお、第１支持部４に挿入されている第２支持部５が不意に移動しないように、端部４ａもしくは第２支持部５の端部などにノッチなどを有する係止機構部を設けて円環状支持部２を構成してもよい。
【００１６】
本実施例の衣類ハンガーに、ズボン、スカートなどのボトム衣類を掛ける場合には、ウエスト部分から円環状支持部２を当該衣類内側へ挿入し、フック部１を衣類の上部へ引き出しておく。その後、第１支持部４と第２支持部５とを相互に摺動させ、円環状支持部２の径を衣類のウエスト部分よりも若干大きく拡げて、当該円環状支持部２の外周部分を衣類のウエスト部分に沿わせて掛け止め支持する。
【００１７】
以上のように本実施例によれば、衣類に設けられたベルト通し部の縫い目部分などを傷めることなく、また、ベルト通し部等に差し込み棒やフック部などを通す煩雑さを解消して衣類を吊るし掛けることができる。
また、衣類のウエスト部分を拡げて吊るすことができることから、衣類を乾燥させる場合には、特に衣類内側の乾燥を早めることができる。
また、円環状支持部２の径を調整可能に構成したので、大人用衣類や子供用衣類など様々なサイズの衣類を掛け吊るすことができる。
【符号の説明】
【００１８】
１フック部
２円環状支持部
３連結片
４第１支持部
５第２支持部
【図１】
0003189144.tif 000003
【図２】
0003189144.tif 000004